(57)【要約】【課題】  ウェットティッシュ等の容器を固定するための構成を比較的低廉なコストで提供でき、且つ使用の都度、ウェットティッシュの容器を移動設置する場合であっても、その操作が極めて簡単に行うことのできるようにした新規な容器の固定設置構造並びにこれに用いる固定具の開発を試みたものである。【解決手段】  本発明の固定設置構造は、容器１を所望の設置部P に固定設置する構造であって、固定具本体２０が容器１に外嵌された状態において、容器１を平滑な設置部Ｐに設置した場合には、吸盤作用により容器１を固定する、一方固定具本体２０の外周部の一部を設置部Ｐから剥がすことにより、前記吸盤作用を解除するように構成されていることを特徴として成るものである。【選択図】図１
2011131915.tif 000002
【特許請求の範囲】
【請求項１】
容器と固定具との組み合わせにより、容器を所望の設置部に固定設置する構造であって、容器は、その固定端部側に鍔状に圧着状態に外嵌めされる固定具本体を具え、この固定具本体は柔軟な適宜の弾性を有する平板状の素材で構成され、固定具本体が、容器に外嵌された状態において、固定具本体の外周側は設置部側に弾性的張り出し傾向を有し、且つ容器を平滑な設置部に設置した場合には、固定具本体は、前記弾性的張り出し傾向により設置部に対し、吸盤作用により容器を固定する一方、固定具本体の外周部の一部を設置部から剥がすことにより、前記吸盤作用を解除するように構成されている
ことを特徴とする容器の固定設置構造。
【請求項２】
始発状態でほぼ平板上の固定具本体を有し、この固定具本体は、十分な柔軟な弾性を有する素材で構成され、且つ固定する容器の外周形状より小さい形状の容器嵌込孔を有することを特徴とする容器の固定設置に用いる固定具。
【発明の詳細な説明】
【技術分野】
【０００１】
本発明は、例えば容器に収納されているウェットティッシュ等を取り出し易くするための、容器の固定構造、並びに固定具に関するものである。
【背景技術】
【０００２】
例えば容器入りのウェットティッシュは、ロール巻状に連続したウェットティッシュロールを弱化線から切り離しながら容器から取り出し、単葉状のウェットティッシュとして使用されている。
具体的には、容器上部にウェットティッシュの取出スリットが設けられ、ここからウェットティッシュの一端を摘んで引き出すと、取出スリットにより実質的に形成されている喰込フラップの引き出し抵抗作用により、弱化線でウェットティッシュが分断され、単葉毎に取り出せるように構成されている。
【０００３】
このような構成に因み、ウェットティッシュの単葉毎の取り出し操作は、一方の手で容器を保持した上で、他の一方の手でウェットティッシュの一端を摘み出すものであり、必ず両手操作が要求される。このような両手操作は、当然ながら煩わしいものであると共に、使用者の身体状況によっては片手操作を余儀なくされている場合もあり、このような使用者にとっては、取り出し操作そのものが行い得ない状態となっている。このため従来から容器を固定して、片手操作によって、ウェットティッシュの取り出しが行えるようなアイデアが提案されている（特許文献１、特許文献２）。
しかしながら、いずれも実際に市場へ提供するにあたっての製品コスト等を勘案すると、現実性がなく、加えて設置位置を状況に応じて変更することが簡単にできるようにする点については、殆んど考慮されていない。
【先行技術文献】
【特許文献】
【０００４】
【特許文献１】実用新案登録第３０５７５４４号公報
【特許文献２】実用新案登録第３１５０９７９号公報
【発明の概要】
【発明が解決しようとする課題】
【０００５】
本発明は、これらの種々の背景を考慮してなされたものであって、ウェットティッシュ等の容器を固定するための構成を比較的低廉なコストで提供でき、且つ使用の都度、ウェットティッシュの容器を移動設置する場合であっても、その操作を極めて簡単に行うことができるようにした、新規な容器の固定設置構造並びにこれに用いる固定具の開発を試みたものである。
【課題を解決するための手段】
【０００６】
請求項１記載の固定設置構造は、容器と固定具との組み合わせにより、容器を所望の設置部に固定設置する構造であって、容器は、その固定端部側に鍔状に圧着状態に外嵌めされる固定具本体を具え、この固定具本体は柔軟な適宜の弾性を有する平板状の素材で構成され、固定具本体が、容器に外嵌された状態において、固定具本体の外周側は設置部側に弾性的張り出し傾向を有し、且つ容器を平滑な設置部に設置した場合には、固定具本体は、前記弾性的張り出し傾向により設置部に対し、吸盤作用により容器を固定する、一方固定具本体の外周部の一部を設置部から剥がすことにより、前記吸盤作用を解除するように構成されていることを特徴として成るものである。
【０００７】
請求項２記載の容器の固定設置に用いる固定具は、始発状態でほぼ平板上の固定具本体を有し、この固定具本体は、十分な柔軟な弾性を有する素材で構成され、且つ固定する容器の外周形状より小さい形状の容器嵌込孔を有することを特徴として成るものである。
【発明の効果】
【０００８】
本発明によれば、シンプルな固定具によりコスト上昇を伴わず、且つ固定にあたっては強固な吸盤効果により十分な固定が図られ、一方設置場所を変更するにあたっては、固定具の一部を固定状態において摘み上げる操作だけで、簡単に吸盤作用を解除でき、設置場所の変更を容易に行うことができる。
【図面の簡単な説明】
【０００９】
【図１】本願発明の容器の固定設置構造を用いた固定具の使用状態を示す斜視図である。
【図２】同上分解斜視図である。
【図３】同上使用状態を示した縦断側面図である。
【図４】本願発明の容器の固定設置構造を用いた固定具を容器への取り付け方法を示す説明図並びに固定具が取り付けられた容器の設置部に対する着脱状態を示した説明図である。
【図５】本願発明の容器の固定設置に用いる固定具により水平面以外の設置部に固定している状態を示す斜視図である。
【図６】本願発明の容器の固定設置に用いる固定具に関する他の実施例を示す斜視図である。
【発明を実施するための形態】
【００１０】
本発明を実施するための形態は、以下述べる実施例をその一つとするものであると共に、この技術思想に基づく種々の改良した実施例も含むものである。
【実施例１】
【００１１】
以下、本発明を図示の実施例に基づいて具体的に説明する。
本発明は、容器１に対し固定具２を組み合わせて、適宜の設置部Ｐに固定するものである。
まず、容器１について説明する。このものは、大別すると容器本体１０と、その上部に取り付けられる蓋本体１５とを具えてなる。容器本体１０は、一例として図１、図２、図３に示す実施例においては、有底円筒状の本体胴部１１に対し、その底部寄りに本体底部１２が一体形成されるとともに反対側の上方部位を本体上部１３とする。そして容器本体１０の内部がウェットティッシュＷの収納部１４となる。
【００１２】
なお、ここでウェットティッシュＷについて説明すると、このものは一例として長尺の素材がロール状に形成されて収納されているものであり、このロール状のものをウェットティッシュロールＷＲとして示す。そしてウェットティッシュロールＷＲは、短寸のスリットからなる弱化線ＷＳを有し、この弱化線ＷＳから切り離されてウェットティッシュ単葉ＷＬが引き出されるものである。そして、収納部１４に対しては、ウェットティッシュＷは、ウェットティッシュロールＷＲの状態で巻芯方向を上下方向に配置して収納されおり、ウェットティッシュロールＷＲの中心からウェットティッシュ単葉ＷＬが引き出されてゆくように収納されている。
【００１３】
更に本体底部１２は、その下方に底部段差１２Ａを具え、本体胴部１１より本体底部１２側の径を幾分か太くしている。一方本体上部１３は、その下方寄りに蓋当たり段差１３Ａを具え、その上方に本体オネジ部１３Ｂを具え、更にその上縁を本体開口部１３Ｃとする。そしてこの本体開口部１３Ｃは、流通段階においてウェットティッシュＷに含ませたアルコール分が放散してしまうことを防ぐために、開口部シートフィルム１３Ｓが貼り付けられている。
【００１４】
次に蓋本体１５について説明する。この蓋本体１５の主要部は、図２、図３に示すように容器本体１０にねじ込まれる部分である蓋胴部１６と、この蓋胴部１６と一体で上面を覆う蓋天板１７と、更に蓋天板１７に一体に設けられている取出蓋１８と、蓋天板１７のほぼ中央に形成される取出部１９とである。
蓋胴部１６は、その内側に前記本体オネジ部１３Ｂと噛み合う蓋メネジ１６Ａが形成されている。一方蓋天板１７は、その上部に取出蓋収まり部１７Ａが凹陥形成されている。また、この取出蓋１８は、ヒンジ１８Ａにおいて蓋本体１５の蓋天板１７と回動自在に接続され、ヒンジ１８Ａと反対側の自由端側を開放用の指掛け端部１８Ｂとする。このヒンジ１８Ａは、側面視で蓋天板１７の上面より僅かに突出している。そして、取出蓋１８は、円環状の外シールリブ１８Ｃをその内側（下面）に形成している。
更に取出部１９は、前記ウェットティッシュＷを実質的に引き出す引き出しスリット１９Ａを中央部に具えるものであり、一例としてこの引き出しスリット１９Ａは、平面視十字状に形成されている。このような引き出しスリット１９Ａの形成により、実質的に喰込フラップ１９Ｂがその間に形成される。更に、引き出しスリット１９Ａを囲むように内シールリブ１９Ｃが設けられ、この内シールリブ１９Ｃに対し、前記取出蓋１８における外シールリブ１８Ｃが蓋閉め状態において外周側に弾性的に被せられるようにして密着する。
【００１５】
このような容器に対して固定具２が組み合わされるものであって、固定具２は、ゴム系発泡体、エラストマー樹脂発泡体、シリコンゴム等の素材を適用した、始発状態でほぼ平板状の固定具本体２０により構成されている。
この固定具本体２０は、固定する容器１の外周形状の直径寸法Ｄ1 より小さい直径寸法Ｄ2 の容器嵌込孔２１が中央に具えられ、その外縁近くの範囲を外周部２２とするものである。
【００１６】
これら容器１と固定具２とが組み合わされて容器１の設置構造が形成される。具体的には、図４（ａ）に示すように例えば容器１の上方から固定具２を当てがい容器嵌込孔２１内に容器１を嵌め込みながら、固定本体２０を容器１の本体底部１２側にずらすようにして組み付ける。この組付状態は、図２に示すように固定具本体２０の容器嵌込孔２１が容器１における本体胴部１１の直径よりも十分に小径のものであるから、弾性的に変形し断面視Ｌ字状に変形するような固定具２が容器１に組み付けられる。しかしながらこのとき固定具本体２０の有する弾性により、自由状態にあっては図３、図４（ａ）（ｂ）に示すように固定具本体２０の外周部２２の位置は、容器１の本体底部より設置部側に張り出し寸法Ｈだけ張り出す傾向を有しており、いわば傘状と表現されるような形状を呈している。
【００１７】
このような構成が容器１と固定具２との組み合わせ形態であり、このものは次のように固定されて用いられる。
まず使用開始にあたっては、常法に従い開口部シートフィルム１３Ｓを除去するとともに、容器本体１０の収納部１４に収められているウェットティッシュロールＷＲの中心からウェットティッシュＷの一端を取り出す。このウェットティッシュＷの一端を蓋本体１５における取出部１９の引き出しスリット１９Ａから外側に引き出すようにした上で、容器本体１０に対し、蓋本体１５をねじ込み取り付ける。なお、以後の使用にあたっては、容器１を安定させた状態で、最初の引き出し準備をしたウェットティッシュＷの一端を引き出すようにしてウェットティッシュ単葉ＷＬ毎に使用する。ウェットティッシュ単葉ＷＬが得られるのは、ウェットティッシュロールＷＲに対し、一定間隔ごとに弱化線ＷＳが形成されており、ウェットティッシュＷは、喰込フラップ１９Ｂの抵抗を受けて弱化線ＷＳで切り離されることによる。
【００１８】
このウェットティッシュ単葉を取り出すとき、従来ウェットティッシュＷの引き出し操作をする手と反対の手で容器１を保持するのであるが、本発明にあっては、容器１を比較的平滑な設置部Ｐに載置するだけで容器１の安定が図られており、片手操作によるウェットティッシュ単葉ＷＬの取り出しが可能である。即ち、容器１が安定設置される作用について説明すると図４に示すように、まず容器１に対し、固定具２が組み付けられた状態にあっては、固定具本体２０は、始発状態ではその外周部２２が容器１の本体底部１２の下面より幾分か（張り出し寸法Ｈの寸法分）下方にフランジ状に弾性的に張り出している。
次いでこれを平滑な設置部Ｐに置くときには、図４（ｂ）（ｃ）に示すように固定具２の外周部２２が、まず設置部Ｐに触れ、容器１の置く操作に従い始発空間Ｓ０が押し縮められるような状態となり、吸盤作用を奏する負圧空間Ｓ１が現出するような状態となる。
従って、容器１を上方並びに斜めに傾けるような作用が加わった場合でも、固定具２によるいわば吸盤作用により容器１が設置部Ｐに固定状態に設置された状態を維持する。
【００１９】
このような状態で固定具２によって容器１を設置部Ｐに安定させた後は、図１に示すように先に述べたような常法に従ってウェットティッシュＷの取り出し操作が行い得る。即ち、まずウェットティッシュＷの取り出しに先立ち、取出蓋１８を開放させる作業を、指掛け端部１８Ｂに指を掛けて取出蓋１８をヒンジ１８Ａを支点に上方に開放させるようにして行うが、この操作と、これに続くウェットティッシュＷを摘んでウェットティッシュ単葉ＷＬ毎に取り出す作業とは、固定具２の吸盤作用による容器１の固定により、片手で操作することができる。
【００２０】
一方このようなウェットティッシュＬの容器１の設置位置を変えて、他の場所で使いたい場合は、図４（ｄ）に示すように固定具２の固定具本体２０の外周部２２を単に摘み上げるようにする。この操作により、図４（ｄ）（ｅ）に示すように負圧空間Ｓ１に対し、外気が導入され、吸盤作用による固定状態が一気に解除される。これにより容器１は、固定具２を伴ったまま当初の設置部Ｐから離れ、別の場所に移して、同様の操作で固定して用いることができる。
なお上記実施例では、容器１を平面状の設置部Ｐに設置したが、図５に示すようにデスク側面等に用いても十分な固定強度を発揮することが確認できている。
【００２１】
〔他の実施の形態〕  
本発明は以上述べた実施の形態を一つの基本的な技術思想とするものであるが、更に次のような改変が考えられる。
まず容器１については、円筒状のものを例示して説明したが、円筒状のものに限らず、固定具２の形状、物性により負圧空間Ｓ１を維持することができるのであれば角筒状のものであっても差し支えない。
【００２２】
また図６に示すように固定具２については、幼児等に常に手あるいは身体を拭くなどの衛生的な習慣を身に付けさせるため、ウェットティッシュＷを使うことに対して興味を示すよう工夫したものである。具体的にはその形態を、例えば動物の顔を描いたデザインとしたり、あるいは容器１との組み合わせることにより、より興味を引くようなデザインとするものである。因みに図６に示す実施例の場合、動物の耳を模した部位が突出しており、ここを摘むことにより、固定具２の吸盤作用による固定が解除し易くなり、容器１の移設が行い易い。
【００２３】
また本実施例においては、ウェットティッシュＷ用の容器１を用いて説明したが、これ以外の容器１にも適用することも可能である。
【符号の説明】
【００２４】
１      容器
１０    容器本体
１１    本体胴部
１２    本体底部
１２Ａ  底部段差
１３    本体上部
１３Ａ  蓋当たり段差
１３Ｂ  本体オネジ部
１３Ｃ  本体開口部
１３Ｓ  開口部シートフィルム
１４    収納部
１５    蓋本体
１６    蓋胴部
１６Ａ  蓋メネジ
１７    蓋天板
１７Ａ  取出蓋収まり部
１８    取出蓋
１８Ａ  ヒンジ
１８Ｂ  指掛け端部
１８Ｃ  外シールリブ
１９    取出部
１９Ａ  引き出しスリット
１９Ｂ  喰込フラップ
１９Ｃ  内シールリブ
２      固定具
２０    固定具本体
２１    容器嵌込孔
２２    外周部
Ｄ1     直径寸法（外周側）
Ｄ2     直径寸法（内周側）
Ｓ０    始発空間
Ｓ１    負圧空間
Ｗ      ウェットティッシュ
ＷＲ    ウェットティッシュロール
ＷＬ    ウェットティッシュ単葉
ＷＳ    弱化線
Ｈ      張り出し寸法
Ｐ      設置部
【図１】
2011131915.tif 000003
【図２】
2011131915.tif 000004
【図３】
2011131915.tif 000005
【図４】
2011131915.tif 000006
【図５】
2011131915.tif 000007
【図６】
2011131915.tif 000008